(57)【要約】【課題】  パチンコ球の転動方向を３次元的に変更させることができるパチンコ機を提供すること。【解決手段】  振分役物１１では、コイルバネ４１の上端開口部を通過したパチンコ球が、コイルバネ４１の内部に衝突しながら転動・落下し、コイルバネ４１の下端開口部から放出される。このとき、コイルバネ４１の上端開口部を通過した際のパチンコ球の態様により、コイルバネ４１の内部で衝突しながら転動・落下するパチンコ球の挙動が変化する。さらに、コイルバネ４１は一方向に回転させられた状態にあり、また、Ｊ字状のコイルバネ４１はその下端開口部付近で曲がった形状にあり、さらに、コイルバネ４１の下端開口部は自由端になっている。よって、コイルバネ４１は回転・変形・復元などの複雑な動作を繰り返し、さらに、コイルバネ４１内のパチンコ球の挙動の影響も加わって、コイルバネ４１の下端開口部の位置が３次元的に変動する。【選択図】  図７
2005334497.tif 000002
【特許請求の範囲】
【請求項１】
パチンコ球の直径よりも大きな内径を有する変形自在な中空状の遊技球通路と、
前記遊技球通路の上端を支持することにより前記遊技球通路を吊り下げる支持部材と、
前記支持部材を介して前記遊技球通路を回転させる駆動源と、を備え、
前記遊技球通路の下端部分に樹脂コーティングを施したこと、を特徴するパチンコ機。
【請求項２】
パチンコ球の直径よりも大きな内径を有する変形自在な中空状の遊技球通路と、
前記遊技球通路の上端を支持することにより前記遊技球通路を吊り下げる支持部材と、
前記支持部材を介して前記遊技球通路を回転させる駆動源と、
前記遊技球通路の上端部分を把持する弾性の上端把持部材と、
前記遊技球通路の下端部分を把持する弾性の下端把持部材と、
前記上端把持部材と前記下端把持部材を連結する弾性の連結部材と、を備え、
前記連結部材の自由状態の全長を前記遊技球通路の全長より短くすることにより、前記遊技球通路に曲げ形状を与え、前記遊技球通路の下端を鉛直方向から外したこと、を特徴とするパチンコ機。
【発明の詳細な説明】
【技術分野】
【０００１】
本発明は、パチンコ球の転動方向を変更させることができるパチンコ機に関するものである。
【背景技術】
【０００２】
従来のパチンコ機には、例えば、下記の特許文献１に記載されているように、パチンコ球が通過して下方へ落下させる貫通孔が形成された障害物を遊技盤上に配設し、この障害物をモータで回転させることより、パチンコ球の転動方向を変更させている。
【特許文献１】特開２００１−３２７６７３号公報（第１４図）
【０００３】
また、例えば、下記の特許文献２に記載されているように、パチンコ球が流下可能な中空貫通状に屈曲した開閉翼片を変動入賞装置に軸支し、さらに、その変動入賞装置を遊技盤上に配設し、開閉翼片に流入したパチンコ球の自重と開閉翼片の自重をもって、開閉翼片を傾動させることにより、パチンコ球の転動方向を変更させている。
【特許文献２】特開２００３−２３０６８４号公報（第２０図）
【発明の開示】
【発明が解決しようとする課題】
【０００４】
しかしながら、いずれの場合も、パチンコ球の転動方向は、２次元の遊技盤面上での変更にすぎないため、パチンコ遊技に慣れてくると、パチンコ球の転動方向が変わっても、その後のパチンコ球の転動先を容易に予想できるようになる。そのため、その後のパチンコ球の転動先が遊技者にとって不利と予想される場合には、そのパチンコ球に対する興味を失ってしまうことになる。
【０００５】
そこで、本発明は、上述した点を鑑みてなされたものであり、パチンコ球の転動方向を３次元的に変更させることができるパチンコ機を提供することを課題とする。
【課題を解決するための手段】
【０００６】
この課題を解決するために成された請求項１に係る発明は、パチンコ機であって、パチンコ球の直径よりも大きな内径を有する変形自在な中空状の遊技球通路と、前記遊技球通路の上端を支持することにより前記遊技球通路を吊り下げる支持部材と、前記支持部材を介して前記遊技球通路を回転させる駆動源と、を備え、前記遊技球通路の下端部分に樹脂コーティングを施したこと、を特徴としている。
【０００７】
また、請求項２に係る発明は、パチンコ機であって、パチンコ球の直径よりも大きな内径を有する変形自在な中空状の遊技球通路と、前記遊技球通路の上端を支持することにより前記遊技球通路を吊り下げる支持部材と、前記支持部材を介して前記遊技球通路を回転させる駆動源と、前記遊技球通路の上端部分を把持する弾性の上端把持部材と、前記遊技球通路の下端部分を把持する弾性の下端把持部材と、前記上端把持部材と前記下端把持部材を連結する弾性の連結部材と、を備え、前記連結部材の全長を前記遊技球通路の自由状態の全長より短くすることにより、前記遊技球通路に曲げ形状を与え、前記遊技球通路の下端を鉛直方向から外したこと、を特徴としている。
【発明の効果】
【０００８】
すなわち、本発明のパチンコ機では、変形自在な中空状の遊技球通路が回転しており、遊技球通路の内部をパチンコ球が落下転動すると、パチンコ球の自重・速度などにより大きな遠心力が無作為に遊技球通路に作用することになるので、パチンコ球が放出される遊技球通路の下端を３次元的に移動させることができる。そのため、遊技球通路の下端から放出されるパチンコ球の転動方向は、３次元的にランダムとなり、予想することが難しくなるので、そのパチンコ球に対する新たな興味を発生させる。
【０００９】
また、遊技球通路に曲げ形状を与え、遊技球通路の下端を鉛直方向から外した状態にすると、より一層に、パチンコ球が放出される遊技球通路の下端を３次元的に移動させることができるため、遊技球通路の下端から放出されるパチンコ球の転動方向は、３次元的にランダムとなり、予想することが難しくなるので、そのパチンコ球に対する新たな興味を発生させる。
【００１０】
もっとも、パチンコ球が放出される遊技球通路の下端を３次元的に移動させると、周辺との接触・衝突を起こすおそれがあることから、例えば、遊技球通路の下端部分に樹脂コーティングを施したり、遊技球通路の下端部分を弾性の下端把持部材で把持するようにすれば、遊技球通路の下端が周辺と接触・衝突を起こしても、その周辺を傷つけないことが可能となる。
【発明を実施するための最良の形態】
【００１１】
以下、本発明の実施の形態を図面を参照にして説明する。
図１は、本実施の形態に係るパチンコ機の遊技盤に配設される振分役物の一例を示した斜視図である。
そこで、先ず、振分役物１０１の概要について説明する。
図１に示すように、振分役物１０１は、パチンコ球が通過することが可能な貫通口１０２が貫設された入口部材１０３と、パチンコ球が通過することが可能なＪ字状のコイルバネ１０４、そのコイルバネ１０４の上端開口部を保持する保持部材１０５、その保持部材１０５に突設された第１歯車１０６、その第１歯車１０６と歯合する第２歯車１０７、その第２歯車１０７の駆動源であるモータ１０８などから構成されている。
【００１２】
この点、第１歯車１０６は、不図示の遊技盤に設けられた連結穴に介在しており、これによって、入口部材１０３と、コイルバネ１０４、保持部材１０５が不図示の遊技盤の正面側に配置され、第２歯車１０７とモータ１０８が不図示の遊技盤の背面側に配置される。
【００１３】
そして、コイルバネ１０４の巻き方向Ｓと同じ方向である矢印Ｚの向きにモータ１０８が回転すると、第２歯車１０７及び第１歯車１０６を介して、モータ１０８の回転運動が保持部材１０５に伝達され、保持部材１０５に固定されたコイルバネ１０４が回転される状態になる。
【００１４】
従って、入口部材１０３の貫通口１０２を介して、コイルバネ１０４の上端開口部を通過したパチンコ球は、コイルバネ１０４の内部に衝突しながら転動・落下し、コイルバネ１０４の下端開口部から不図示の遊技盤に放出される。このとき、コイルバネ１０４の上端開口部を通過した際のパチンコ球の速度・回転方向・転動方向などにより、コイルバネ１０４の内部で衝突しながら転動・落下するパチンコ球の挙動が変化する。さらに、コイルバネ１０４は回転された状態にあり、また、Ｊ字状のコイルバネ１０４はその下端開口部付近で曲がった形状にあり、さらに、コイルバネ１０４の下端開口部は自由端になっている。よって、コイルバネ１０４は回動・変形・復元などの複雑な動作を繰り返し、さらに、コイルバネ１０４内のパチンコ球の挙動の影響も加わって、コイルバネ１０４の下端開口部の位置が３次元的に変動するので、コイルバネ１０４の下端開口部からパチンコ球が四方八方に放出させることができる。
【００１５】
尚、Ｊ字状のコイルバネ１０４は、その下端開口部を含めた周辺を樹脂コーティングしたものを使用する。
【００１６】
すなわち、振分役物１０１では、変形自在な中空状のコイルバネ１０４が回転しており、コイルバネ１０４の内部をパチンコ球が落下転動すると、パチンコ球の自重・速度などにより大きな遠心力が無作為にコイルバネ１０４に作用することになるので、パチンコ球が放出されるコイルバネ１０４の下端開口部を３次元的に移動させることができる。そのため、コイルバネ１０４の下端開口部から放出されるパチンコ球の転動方向は、３次元的にランダムとなり、予想することが難しくなるので、そのパチンコ球に対する新たな興味を発生させる。
【００１７】
さらに、このとき、コイルバネ１０４の巻き方向の矢印Ｓと同じ方向である矢印Ｚの向きでコイルバネ１０４が回転されるように、モータ１０８の回転方向を設定しているので、パチンコ球に作用する遠心力がさらに大きくなり、より一層に、パチンコ球が放出されるコイルバネ１０４の下端開口部を３次元的に移動させることができるため、コイルバネ１０４の下端開口部から放出されるパチンコ球の転動方向は、３次元的にランダムとなり、予想することが難しくなるので、そのパチンコ球に対する新たな興味を発生させる。
【００１８】
また、コイルバネ１０４がＪ字状の曲げ形状を有しており、コイルバネ１０４の下端開口部が鉛直方向から外れた状態になっているので、より一層に、パチンコ球が放出されるコイルバネ１０４の下端開口部を３次元的に移動させることができるため、コイルバネ１０４の下端開口部から放出されるパチンコ球の転動方向は、３次元的にランダムとなり、予想することが難しくなるので、そのパチンコ球に対する新たな興味を発生させる。
【００１９】
もっとも、パチンコ球が放出されるコイルバネ１０４の下端開口部を３次元的に移動させると、不図示の遊技盤やガラス面等との接触・衝突を起こすおそれがあるが、ここでは、コイルバネ１０４の下端開口部を含めた周辺部分を樹脂コーティングしているので、コイルバネ１０４の下端開口部が不図示の遊技盤やガラス面等と接触・衝突を起こしても、その周辺を傷つけないことが可能となる。
【００２０】
尚、本発明は上記実施の形態に限定されるものでなく、その趣旨を逸脱しない範囲で様々な変更が可能である。
例えば、コイルバネ１０４の下端開口部のみを樹脂コーティングした場合には、コイルバネ１０４の巻き方向Ｓと逆方向にモータ１０８を回転させれば、コイルバネ１０４の下端開口部の先端断面が不図示の遊技盤やガラス面等と接触・衝突を起こしにくくなるので、不図示の遊技盤やガラス面等が傷つきにくくなる。
【００２１】
また、コイルバネ１０４は、樹脂製のものであってもよい。
【００２２】
また、振分役物１０１では、コイルバネ１０４の巻き方向の矢印Ｓと同じ方向である矢印Ｚの向きでモータ１０８を回転させることにより、コイルバネ１０４を回転させた状態にしていた。この点、モータ２１を双方向に回転させることにより、コイルバネ１０４を左右に振られた状態にしてもよい。
【００２３】
次に、図１６の正面図に示されたパチンコ機１の遊技盤２に配設された振分役物１１について説明する。振分役物１１は、後述する図７〜図１５に示すように、モータ２１と、歯車３１、コイルバネ４１、変形保持部材５１、架台６１などから構成されている。
【００２４】
ここで、モータ２１の三面図（第三角法による正面図・平面図・側面図をあわせて表したもの。以下、同じ。）を図２に示し、歯車３１の三面図を図３に示し、コイルバネ４１の二面図（第三角法による正面図・平面図をあわせて表したもの。）を図４に示し、変形保持部材５１の三面図を図５に示し、架台６１の三面図を図６に示す。
【００２５】
この点、図２に示すように、モータ２１には、駆動軸２２や一対の取付穴２３などが設けられている。
また、図３に示すように、歯車３１には、上記駆動軸２２が嵌合される軸穴３２が設けられている。
また、図４に示すように、コイルバネ４１は、矢印Ｓの方向に弦巻状に金属線（例えば、鋼やステンレス）を巻いたものである。さらに、コイルバネ４１の内径やピッチ間隔については、コイルバネ４１が曲線状になってもパチンコ球が通過し得るようなサイズが選定されている。
【００２６】
また、図５に示すように、変形保持部材５１は、上記コイルバネ４１の上端が嵌挿される円形開口部５２を設けた上端把持部材５３と、上記コイルバネ４１の下端が嵌め込まれる円形凸条部５４を設けた下端把持部材５５と、上端把持部材５３と下端把持部材５５とを連結する連結部材５６などから構成されている。この点、上端把持部材５３の外周には、上記歯車３１と歯合し得る歯形部５７が形成されている。また、下端把持部材５５の円形凸条部５４の内側には、パチンコ球が通過することが可能な円形開口部５８が形成されている。また、連結部材５６の全長は、上記コイルバネ４１の全長よりも短くなっている。さらに、連結部材５６及び下端把持部材５５については、樹脂製のものを使用している。
【００２７】
また、図６に示すように、架台６１には、遊技盤２（図１６参照）に固定するための固定部６２と、その固定部６２に突設された吊下部６３、その吊下部６３と反対側で上記固定部６２に突設された取付部６４などから構成されている。この点、固定部６２には、取付穴６５が設けられており、この取付穴６５を介した取付ネジによって、架台６１が遊技盤２（図１６参照）に固定される。また、吊下部６３には、パチンコ球が通過することが可能な円形開口部６９が形成されており、さらに、円形開口部６９の外側には、上記変形保持部材５１の上端把持部材５３が遊嵌されて回動自在に摺動し得る環状溝６６が形成されている。また、取付部６には、上記モータ２１の駆動軸２２を突出させるための開口６７と上記モータ２１の一対の取付穴２３に対向しうる一対の取付穴６８が形成されている。
【００２８】
従って、取付部６４の一対の取付穴６８に対してモータ２１の一対の取付穴２３を重ね合わせ、それらの取付穴２３，６８を介した取付ネジによって、取付部６の下方からモータ２１を固定させることができる。このとき、取付部６４の開口６７からモータ２１の駆動軸２２が突出した状態になるので、そのモータ２１の駆動軸２に対して歯車３１の軸穴３２を嵌合させることにより、モータ２１に歯車３１を取り付けることができる。
【００２９】
一方、変形保持部材５１においては、上端把持部材５３の円形開口部５２にコイルバネ４１の上端を嵌挿させるとともに下端把持部材５５の円形凸条部５４にコイルバネ４１の下端を嵌め込むことにより、コイルバネ４１が取り付けられる。このとき、上端把持部材５３と下端把持部材５５とを連結する連結部材５６の全長がコイルバネ４１の全長よりも短いことから、コイルバネ４１はＪ字状の曲がった状態になる。
【００３０】
そして、架台６１において、吊下部６３の環状溝６６に対し、コイルバネ４１が取り付けられた状態にある変形保持部材５１の上端把持部材５３を遊嵌させると、その上端把持部材５３に周設された歯形部５７とモータ２１に取付けられた歯車３１とが歯合することになり、図１７に示す振分役物１１が組み立てられる。
【００３１】
そして、振分役物１１においては、モータ２１が一方向に回転すると、歯車３１及び歯形部５７を介して、モータ２１の回転運動が上端把持部材５３に伝達されるので、上端把持部材５３に吊り下げられたコイルバネ４１が一方向に回転される状態になる。
但し、ここでは、コイルバネ４１の巻き方向である矢印Ｓ（図４参照）と同じ方向でコイルバネ４１が回転されるように、モータ２１の回転方向を設定する。
【００３２】
従って、振分役物１１においては、吊下部６３の円形開口部６９を介して、コイルバネ４１の上端開口部を通過したパチンコ球は、コイルバネ４１の内部に衝突しながら転動・落下し、コイルバネ４１の下端開口部から遊技盤２に放出される。このとき、コイルバネ４１の上端開口部を通過した際のパチンコ球の速度・回転方向・転動方向などにより、コイルバネ４１の内部で衝突しながら転動・落下するパチンコ球の挙動が変化する。さらに、コイルバネ４１は一方向に回転された状態にあり、また、Ｊ字状のコイルバネ４１はその下端開口部付近で曲がった形状にあり、さらに、コイルバネ４１の下端開口部は自由端になっている。よって、コイルバネ４１は回転・変形・復元などの複雑な動作を繰り返し、さらに、コイルバネ４１内のパチンコ球の挙動の影響も加わって、コイルバネ４１の下端開口部の位置が３次元的に変動するので、コイルバネ４１の下端開口部からパチンコ球が四方八方に放出させることができる。
【００３３】
尚、コイルバネ４１の下端開口部の位置が３次元的に変動することを示すために、コイルバネ４１の下端開口部が右側に移動した場合の遊技盤２について、図７に正面図を示し、図８に平面図を示し、図９に側面図を示す。また、コイルバネ４１の下端開口部が左側に移動した場合の遊技盤２について、図１０に正面図を示し、図１１に平面図を示し、図１２に側面図を示す。さらに、コイルバネ４１の下端開口部が中央に移動した場合の遊技盤２について、図１３に正面図を示し、図１４に平面図を示し、図１５に側面図を示す。
【００３４】
すなわち、振分役物１１では、変形自在な中空状のコイルバネ４１が回転しており、コイルバネ４１の内部をパチンコ球が落下転動すると、パチンコ球の自重・速度などにより大きな遠心力が無作為にコイルバネ４１に作用することになるので、パチンコ球が放出されるコイルバネ４１の下端開口部を３次元的に移動させることができる。そのため、コイルバネ４１の下端開口部から放出されるパチンコ球の転動方向は、３次元的にランダムとなり、予想することが難しくなるので、そのパチンコ球に対する新たな興味を発生させる。
【００３５】
さらに、このとき、コイルバネ４１の巻き方向である矢印Ｓ（図４参照）と同じ方向でコイルバネ４１が回転されるように、モータ２１の回転方向を設定しているので、パチンコ球に作用する遠心力がさらに大きくなり、より一層に、パチンコ球が放出されるコイルバネ４１の下端開口部を３次元的に移動させることができるため、コイルバネ４１の下端開口部から放出されるパチンコ球の転動方向は、３次元的にランダムとなり、予想することが難しくなるので、そのパチンコ球に対する新たな興味を発生させる。
【００３６】
また、コイルバネ４１がＪ字状の曲げ形状を有しており、コイルバネ４１の下端開口部が鉛直方向から外れた状態になっているので、より一層に、パチンコ球が放出されるコイルバネ４１の下端開口部を３次元的に移動させることができるため、コイルバネ４１の下端開口部から放出されるパチンコ球の転動方向は、３次元的にランダムとなり、予想することが難しくなるので、そのパチンコ球に対する新たな興味を発生させる。
【００３７】
もっとも、パチンコ球が放出されるコイルバネ４１の下端開口部を３次元的に移動させると、不図示の遊技盤やガラス面等との接触・衝突を起こすおそれがあるが、ここでは、コイルバネ４１の下端開口部を含めた周辺部分を樹脂製の下端把持部材５５で保持し覆っているので、コイルバネ４１の下端開口部が遊技盤２等と接触・衝突を起こしても、その周辺を傷つけないことが可能となる。
【００３８】
尚、本発明は上記実施の形態に限定されるものでなく、その趣旨を逸脱しない範囲で様々な変更が可能である。
例えば、コイルバネ４１は、樹脂製のものであってもよい。
【００３９】
また、コイルバネ４１については、予めＪ字状に成形されたものを使用してもよい。但し、この場合には、変形保持部材５１を使用する必要なくなるが、周辺の傷つき防止の観点からすれば、コイルバネ４１の下端開口部を含めた周辺部分を樹脂コーティングすることが望ましい。さらに、コイルバネ４１の下端開口部のみを樹脂コーティングした場合には、コイルバネ４１の巻き方向Ｓと逆方向にモータ２１を回転させれば、コイルバネ４１の下端開口部の先端断面が不図示の遊技盤やガラス面等と接触・衝突を起こしにくくなるので、不図示の遊技盤やガラス面等が傷つきにくくなる。
【００４０】
また、振分役物１１では、コイルバネ４１の巻き方向である矢印Ｓ（図４参照）と同じ方向でモータ２１を回転させることにより、上端把持部材５３に吊り下げられたコイルバネ４１を回転させた状態にしていた。この点、モータ２１を双方向に回転させることにより、コイルバネ４１を左右に振られた状態にしてもよい。
尚、コイルバネ４１を左右に振られた状態にする点に関しては、以下の振分役物も考えられる。
【００４１】
すなわち、図１７は、コイルバネを左右に振られた状態にする振分役物の一例を示した斜視図である。
そこで、次に、振分役物２０１の概要について説明する。
図１７に示すように、振分役物２０１は、パチンコ球が通過することが可能な貫通口２０２が貫設された入口部材２０３と、パチンコ球が通過することが可能なＪ字状のコイルバネ２０４、そのコイルバネ２０４の上端開口部を保持する保持部材２０５、その保持部材２０５に突設された伝動板２０６、その伝動板２０６と連結するプランジャ２０７、そのプランジャ２０７の駆動源であるソレノイド２０８などから構成されている。
【００４２】
この点、伝動板２０６は、不図示の遊技盤に設けられた連結穴に介在しており、これによって、入口部材２０３と、コイルバネ２０４、保持部材２０５が不図示の遊技盤の正面側に配置され、プランジャ２０７とソレノイド２０８が不図示の遊技盤の背面側に配置される。
【００４３】
そして、ソレノイド２０８が駆動すると、プランジャ２０７及び伝動板２０６を介して、ソレノイド２０８の往復運動が保持部材２０５に伝達され、保持部材２０５に固定されたコイルバネ２０４が左右に振られる状態になる。
【００４４】
従って、入口部材２０３の貫通口２０２を介して、コイルバネ２０４の上端開口部を通過したパチンコ球は、コイルバネ２０４の内部に衝突しながら転動・落下し、コイルバネ２０４の下端開口部から不図示の遊技盤に放出される。このとき、コイルバネ２０４の上端開口部を通過した際のパチンコ球の速度・回転方向・転動方向などにより、コイルバネ２０４の内部で衝突しながら転動・落下するパチンコ球の挙動が変化する。さらに、コイルバネ２０４は左右に振られた状態にあり、また、Ｊ字状のコイルバネ２０４はその下端開口部付近で曲がった形状にあり、さらに、コイルバネ２０４の下端開口部は自由端になっている。よって、コイルバネ２０４は回動・変形・復元などの複雑な動作を繰り返し、さらに、コイルバネ２０４内のパチンコ球の挙動の影響も加わって、コイルバネ２０４の下端開口部の位置が３次元的に変動するので、コイルバネ２０４の下端開口部からパチンコ球が四方八方に放出させることができる。
【００４５】
尚、Ｊ字状のコイルバネ２０４は、その下端開口部を含めた周辺を樹脂コーティングしたものを使用する。
【００４６】
すなわち、振分役物２０１では、変形自在な中空状のコイルバネ２０４が左右に振られた状態にあり、コイルバネ２０４の内部をパチンコ球が落下転動すると、パチンコ球の自重・速度などにより大きな外力が無作為にコイルバネ２０４に作用することになるので、パチンコ球が放出されるコイルバネ２０４の下端開口部を３次元的に移動させることができる。そのため、コイルバネ２０４の下端開口部から放出されるパチンコ球の転動方向は、３次元的にランダムとなり、予想することが難しくなるので、そのパチンコ球に対する新たな興味を発生させる。
【００４７】
また、コイルバネ２０４がＪ字状の曲げ形状を有しており、コイルバネ２０４の下端開口部が鉛直方向から外れた状態になっているので、より一層に、パチンコ球が放出されるコイルバネ２０４の下端開口部を３次元的に移動させることができるため、コイルバネ２０４の下端開口部から放出されるパチンコ球の転動方向は、３次元的にランダムとなり、予想することが難しくなるので、そのパチンコ球に対する新たな興味を発生させる。
【００４８】
もっとも、パチンコ球が放出されるコイルバネ２０４の下端開口部を３次元的に移動させると、不図示の遊技盤やガラス面等との接触・衝突を起こすおそれがあるが、ここでは、コイルバネ２０４の下端開口部を含めた周辺部分を樹脂コーティングしているので、コイルバネ２０４の下端開口部が不図示の遊技盤やガラス面等と接触・衝突を起こしても、その周辺を傷つけないことが可能となる。
【００４９】
尚、本発明は上記実施の形態に限定されるものでなく、その趣旨を逸脱しない範囲で様々な変更が可能である。
例えば、コイルバネ２０４は、樹脂製のものであってもよい。
【産業上の利用可能性】
【００５０】
本発明は、コイルバネや軟質樹脂などの螺旋状の部材をパチンコ機の役物として使用する技術に適用し得る。
【図面の簡単な説明】
【００５１】
【図１】本実施の形態に係るパチンコ機の遊技盤に配設される振分役物の一例を示した斜視図である。
【図２】本実施の形態に係るパチンコ機の遊技盤に配設される振分役物の一例において使用されるモータを示した三面図である。
【図３】本実施の形態に係るパチンコ機の遊技盤に配設される振分役物の一例において使用される歯車を示した三面図である。
【図４】本実施の形態に係るパチンコ機の遊技盤に配設される振分役物の一例において使用されるコイルバネを示した二面図である。
【図５】本実施の形態に係るパチンコ機の遊技盤に配設される振分役物の一例において使用される変形保持部材を示した三面図である。
【図６】本実施の形態に係るパチンコ機の遊技盤に配設される振分役物の一例において使用される架台を示した三面図である。
【図７】本実施の形態に係るパチンコ機の遊技盤を示した正面図である。
【図８】本実施の形態に係るパチンコ機の遊技盤を示した平面図である。
【図９】本実施の形態に係るパチンコ機の遊技盤を示した平面図である。
【図１０】本実施の形態に係るパチンコ機の遊技盤を示した正面図である。
【図１１】本実施の形態に係るパチンコ機の遊技盤を示した平面図である。
【図１２】本実施の形態に係るパチンコ機の遊技盤を示した平面図である。
【図１３】本実施の形態に係るパチンコ機の遊技盤を示した正面図である。
【図１４】本実施の形態に係るパチンコ機の遊技盤を示した平面図である。
【図１５】本実施の形態に係るパチンコ機の遊技盤を示した平面図である。
【図１６】本実施の形態に係るパチンコ機を示した正面図である。
【図１７】本実施の形態に係るパチンコ機の遊技盤に配設される振分役物の一例を示した斜視図である。
【符号の説明】
【００５２】
１  パチンコ機
２  遊技盤
１１  振分役物
２１  モータ
３１  歯車
４１  コイルバネ
５１  変形保持部材
５２  円形開口部
５３  上端把持部材
５４  円形凸条部
５５  下端把持部材
５６  連結部材
５７  歯形部
５８  円形開口部
６１  架台
６２  固定部
６３  吊下部
６４  取付部
６６  環状溝
【図１】
2005334497.tif 000003
【図２】
2005334497.tif 000004
【図３】
2005334497.tif 000005
【図４】
2005334497.tif 000006
【図５】
2005334497.tif 000007
【図６】
2005334497.tif 000008
【図７】
2005334497.tif 000009
【図８】
2005334497.tif 000010
【図９】
2005334497.tif 000011
【図１０】
2005334497.tif 000012
【図１１】
2005334497.tif 000013
【図１２】
2005334497.tif 000014
【図１３】
2005334497.tif 000015
【図１４】
2005334497.tif 000016
【図１５】
2005334497.tif 000017
【図１６】
2005334497.tif 000018
【図１７】
2005334497.tif 000019